(57)【要約】【課題】抵抗膜式タッチパネル装置において、座標検出のための抵抗膜に掛ける電圧の範囲を拡大して、座標検出の精度をより上げる駆動を行う抵抗膜式タッチパネル装置を提供する。【解決手段】抵抗膜式タッチパネル装置において、両端部の電極に第１の電圧と第２の電圧を印加して抵抗膜の押圧位置を測定した後に、検出された電圧値に基づいて、抵抗膜の両端部に印加する電圧値を算出して印加する。これにより、座標検出のための抵抗膜に掛ける電圧の範囲を従来より拡大することができるため、座標検出の精度をより上げることが可能となる。【選択図】図３
2015184984.tif 000002
【特許請求の範囲】
【請求項１】
表示装置の画面上に配置され、電気的に分離されており、押下された場合に互いに接触する第１の抵抗膜及び第２の抵抗膜と、
可変電圧源と、
電圧検出回路と、
押下された箇所のＸ座標及びＹ座標を検出可能な制御部と、を備え、
前記第１の抵抗膜は、両端部にそれぞれ第１の電極を備え、
前記第２の抵抗膜は、前記第１の抵抗膜の前記第１の電極が配置されている方向と互いに直行する方向の両端部にそれぞれ第２の電極を備え、
前記可変電圧源は、前記第１の電極のそれぞれ又は前記第２の電極のそれぞれに電圧を印加し、
前記電圧検出回路は、前記第１の電極及び前記第２の電極の電圧値を検出する抵抗膜式タッチパネル装置において、
前記制御部は、
前記第１の抵抗膜の前記第１の電極のいずれかに所定の電圧を印加した状態で、前記第２の抵抗膜の前記第２の電極のいずれかから出力される電圧値を検出することで、押下されていることを検出し、
前記第１の抵抗膜の両端部の前記第１の電極に、それぞれ第１の電圧及び第２の電圧を印加した状態で、前記第２の抵抗膜の前記第２の電極のいずれかから出力される電圧値を検出し、
該検出した電圧値に基づいて、前記第１の抵抗膜の両端部の前記第１の電極に印加する第３の電圧及び第４の電圧を算出して、該算出した第３の電圧及び第４の電圧を前記第１の抵抗膜の両端部の前記第１の電極に印加して、前記第２の抵抗膜の前記第２の電極のいずれかから出力される電圧値を検出して押下された箇所のＸ座標を検出し、
再度、前記第１の抵抗膜の前記第１の電極のいずれかに所定の電圧を印加した状態で、前記第２の抵抗膜の前記第２の電極のいずれかから出力される電圧値を検出することで、押下されていることを検出し、
前記第２の抵抗膜の両端部の前記第２の電極に、それぞれ第５の電圧及び第６の電圧を印加した状態で、前記第１の抵抗膜の前記第１の電極のいずれかから出力される電圧値を検出し、
該検出した電圧値に基づいて、前記第２の抵抗膜の両端部の前記第２の電極に印加する第７の電圧及び第８の電圧を算出して、該算出した第７の電圧及び第８の電圧を前記第２の抵抗膜の両端部の前記第２の電極に印加して、前記第１の抵抗膜の前記第１の電極のいずれかから出力される電圧値を検出して押下された箇所のＹ座標を検出する、
ことを特徴とする抵抗膜式タッチパネル装置。
【発明の詳細な説明】
【技術分野】
【０００１】
本発明は、抵抗膜式タッチパネル装置に関し、特に座標の検出精度をより上げることができる抵抗膜式タッチパネル装置に関する。
【背景技術】
【０００２】
抵抗膜式のタッチパネルは、相互に対向して一定の距離離した２枚の抵抗膜によって構成される。そして、一方の抵抗膜にはＸ方向に対向した両端に一対の電極を備え、他方の抵抗膜にはＹ方向に対向した両端に一対の電極を備えている。
図４は、一般的な抵抗膜式のタッチパネルにおいて、タッチパネルが押されたことを検出する機構を示した図である。図４において、左右方向をＸ方向、上下方向とＹ方向とする。タッチパネルは、第１の抵抗膜１０と第２の抵抗膜２０とが前後に重ねられた構造とされている。また、第１の抵抗膜１０は、Ｘ方向に離間した両端部に電極（１２，１４）を備えており、一方の電極である電極１４に電圧源１７が接続されている。また、第１の抵抗膜１０のいずれかの箇所が打点位置Ｐとして指等で押されたときには、打点位置Ｐと、両端部の電極（１２，１４）とのそれぞれの間に抵抗成分１６が発生する。
【０００３】
また、第２の抵抗膜２０には、Ｙ方向に離間した両端部に電極（２２，２４）を備えており、一方の電極２４には、Ａ／Ｄ変換器３０が接続されている。また、Ａ／Ｄ変換器３０の入力部は、抵抗３４を介して接地されている。また、第１の抵抗膜１０のいずれかの箇所が打点位置Ｐとして指等で押されたときには、打点位置Ｐと、両端部の電極（２２，２４）とのそれぞれの間に抵抗成分２６が発生する。
このように構成されたタッチパネルにおいて、電圧源１７により第１の抵抗膜１０の電極１４に電圧を印加した状態で、第１の抵抗膜１０のいずれかの箇所を打点位置Ｐとして指等で押されたときには、第２の抵抗膜２０に電圧が誘起されることによって、タッチパネルが押されたことを検出する。
【０００４】
タッチパネルが押されたことを検出すると、次に押された箇所の座標の検出を行う。座標の検出にあたっては、第１の抵抗膜１０や第２の抵抗膜２０の両端の電極に電圧を印加して行うが、その際に印加する電圧は、Ａ／Ｄ変換器が取り込める範囲内の所定の値とすることが一般的であった。
従来技術として、特許文献１には、タッチパネルの駆動装置として第１抵抗層と第２抵抗層とに印加する電圧値を制御する技術が開示されている。
【先行技術文献】
【特許文献】
【０００５】
【特許文献１】特開２００３−２８８１７０号公報
【発明の概要】
【発明が解決しようとする課題】
【０００６】
従来技術や特許文献１に開示されている技術は、タッチパネルにおける抵抗膜（抵抗層）の両端に印加する電圧はＡ／Ｄ変換器３０が取り込める範囲で、あらかじめ決まった所定の電圧値であったため、タッチパネルにおいて検出する座標の制度は、Ａ／Ｄ変換器の分解能で決まる所定の値以上に上げることはできなかった。
【０００７】
そこで本発明は、抵抗膜式タッチパネル装置において、座標検出のための抵抗膜にかける電圧の範囲を拡大して、座標検出の精度をより上げる駆動を行う抵抗膜式タッチパネル装置を提供することを目的とする。
【課題を解決するための手段】
【０００８】
本願の請求項１に係る発明では、表示装置の画面上に配置され、電気的に分離されており、押下された場合に互いに接触する第１の抵抗膜及び第２の抵抗膜と、可変電圧源と、電圧検出回路と、押下された箇所のＸ座標及びＹ座標を検出可能な制御部と、を備え、前記第１の抵抗膜は、両端部にそれぞれ第１の電極を備え、前記第２の抵抗膜は、前記第１の抵抗膜の前記第１の電極が配置されている方向と互いに直行する方向の両端部にそれぞれ第２の電極を備え、前記可変電圧源は、前記第１の電極のそれぞれ又は前記第２の電極のそれぞれに電圧を印加し、前記電圧検出回路は、前記第１の電極及び前記第２の電極の電圧値を検出する抵抗膜式タッチパネル装置において、前記制御部は、前記第１の抵抗膜の前記第１の電極のいずれかに所定の電圧を印加した状態で、前記第２の抵抗膜の前記第２の電極のいずれかから出力される電圧値を検出することで、押下されていることを検出し、前記第１の抵抗膜の両端部の前記第１の電極に、それぞれ第１の電圧及び第２の電圧を印加した状態で、前記第２の抵抗膜の前記第２の電極のいずれかから出力される電圧値を検出し、該検出した電圧値に基づいて、前記第１の抵抗膜の両端部の前記第１の電極に印加する第３の電圧及び第４の電圧を算出して、該算出した第３の電圧及び第４の電圧を前記第１の抵抗膜の両端部の前記第１の電極に印加して、前記第２の抵抗膜の前記第２の電極のいずれかから出力される電圧値を検出して押下された箇所のＸ座標を検出し、再度、前記第１の抵抗膜の前記第１の電極のいずれかに所定の電圧を印加した状態で、前記第２の抵抗膜の前記第２の電極のいずれかから出力される電圧値を検出することで、押下されていることを検出し、前記第２の抵抗膜の両端部の前記第２の電極に、それぞれ第５の電圧及び第６の電圧を印加した状態で、前記第１の抵抗膜の前記第１の電極のいずれかから出力される電圧値を検出し、該検出した電圧値に基づいて、前記第２の抵抗膜の両端部の前記第２の電極に印加する第７の電圧及び第８の電圧を算出して、該算出した第７の電圧及び第８の電圧を前記第２の抵抗膜の両端部の前記第２の電極に印加して、前記第１の抵抗膜の前記第１の電極のいずれかから出力される電圧値を検出して押下された箇所のＹ座標を検出する、ことを特徴とする抵抗膜式タッチパネル装置が提供される。
【０００９】
請求項１に係る発明によると、タッチパネルの座標検出時に各抵抗膜に掛ける電圧を、Ａ／Ｄ変換器が取り込める電圧の範囲を超えて印加することが可能となるため、座標の検出精度をより上げることが可能となる。
【発明の効果】
【００１０】
本発明により、そこで本発明は、抵抗膜式タッチパネル装置において、座標検出のための抵抗膜に掛ける電圧の範囲を拡大して、座標検出の精度をより上げる駆動を行う抵抗膜式タッチパネル装置を提供することができる。
【図面の簡単な説明】
【００１１】
【図１】本発明の実施形態における横方向の座標検出する機構を示した図である。
【図２】本発明の実施形態における縦方向の座標検出する機構を示した図である。
【図３】本発明の実施形態における打点位置の検出の流れを示すフローチャートである。
【図４】一般的な抵抗膜式のタッチパネルにおいて、タッチパネルが押されたことを検出する機構を示した図である。
【図５】従来のタッチパネルにおける横方向の座標検出する機構を示した図である。
【図６】従来のタッチパネルにおける縦方向の座標検出する機構を示した図である。
【図７】従来技術のタッチパネルにおける打点位置の検出の流れを示すフローチャートである。
【発明を実施するための形態】
【００１２】
まず、従来のタッチパネルにおける座標検出の方法について説明する。
図５は、従来のタッチパネルにおける横方向の座標検出する機構を示した図である。第１の抵抗膜１０の両端部の電極（１２，１４）に、電圧源１７が接続され、電極１４に電圧源１７による電圧が印加され、他方の電極１２には０Ｖが印加される。そして、第１の抵抗膜１０における打点位置Ｐの電圧が、第２の抵抗膜２０の両端部の電極（２２，２４）のいずれかに誘起され、それをＡ／Ｄ変換器３０によってアナログデジタル変換することにより電圧値を測定して、押された打点位置ＰのＸ座標を求める。
【００１３】
次に、再度第１の抵抗膜１０の電極１４に電圧を印加し、第２の抵抗膜２０の電極（２２，２４）に電圧が誘起されることにより、タッチパネルが押されていることを検出する。タッチパネルが押されていない場合には検出を最初からやり直す。
【００１４】
タッチパネルが引き続き押されている場合には、次に押された箇所の縦方向の検出を行う。図６は、従来のタッチパネルにおける縦方向の座標の検出する機構を示した図である。第２の抵抗膜２０の両端部の電極（２２，２４）に、電圧源２７が接続され、電極２４に電圧源２７による電圧が印加され、他方の電極２２には０Ｖが印加される。そして、第２の抵抗膜２０における打点位置Ｐの電圧が、第１の抵抗膜１０の両端部の電極（１２，１４）のいずれかに誘起され、それをＡ／Ｄ変換器４０によってアナログデジタル変換することにより電圧値を測定して、押された打点位置ＰのＹ座標を求める。
【００１５】
最後に、第１の抵抗膜１０の電極（１２，１４）に電圧を印加し、第２の抵抗膜２０に電圧が誘起されることにより、タッチパネルが押されていることを検出して、求められた打点位置ＰのＸ座標、Ｙ座標を有効な座標とする。押されていない場合には、求められた打点位置ＰのＸ座標、Ｙ座標を無効として、検出を最初からやり直す。
【００１６】
図７は、従来技術のタッチパネルにおける打点位置の検出の流れを示すフローチャートである。以下ステップ毎に説明する。
・（ステップＳＢ１）第１の抵抗膜の電極に電圧Ｖ１を印加する。ここで、電圧Ｖ１は、電圧検出回路であるＡ／Ｄ変換器で受けられる最大電圧とする。
・（ステップＳＢ２）第２の抵抗膜の電極において電圧が検出されたかどうかを判定する。検出された場合（ＹＥＳ）はステップＳＢ３に進み、検出されない場合（ＮＯ）はステップＳＢ１に戻る。
・（ステップＳＢ３）第１の抵抗膜の両端部の電極のうちの一方の電極に電圧Ｖ１を、他方の電極に電圧Ｖ２を印加する。ここで、電圧Ｖ２は、電圧検出回路であるＡ／Ｄ変換器で受けられる最小電圧とする。
【００１７】
・（ステップＳＢ４）第２の抵抗膜の両端部の電極のうちの一方の電極の電圧値を検出する。検出した電圧値をＶｄｘとする。
・（ステップＳＢ５）第１の抵抗膜の電極に電圧Ｖ１を印加する。
・（ステップＳＢ６）第２の抵抗膜の電極において電圧が検出されたかどうかを判定する。検出された場合（ＹＥＳ）はステップＳＢ７に進み、検出されない場合（ＮＯ）はステップＳＢ１に戻る。
【００１８】
・（ステップＳＢ７）第２の抵抗膜の両端部の電極のうちの一方の電極に電圧Ｖ１を、他方の電極に電圧Ｖ２を印加する。
・（ステップＳＢ８）第１の抵抗膜の両端部の電極のうちの一方の電極の電圧値を検出する。検出した電圧値をＶｄｙとする。
・（ステップＳＢ９）第１の抵抗膜の電極に電圧Ｖ１を印加する。
【００１９】
・（ステップＳＢ１０）第２の抵抗膜の電極において電圧が検出されたかどうかを判定する。検出された場合（ＹＥＳ）はステップＳＢ１１に進み、検出されない場合（ＮＯ）はステップＳＢ１に戻る。
・（ステップＳＢ１１）検出した電圧値Ｖｄｘの値から打点位置ＰのＸ座標Ｘａを算出する。
・（ステップＳＢ１２）検出した電圧値Ｖｄｙの値から打点位置ＰのＹ座標Ｙａを算出する。
【００２０】
しかしながら、これらの従来技術においては、座標検出時の抵抗膜の両端の電極に印加する電圧が、Ａ／Ｄ変換器で受けられる最大電圧と最小電圧との差とされているため、座標の検出精度がＡ／Ｄ変換器で受けられる最大電圧と最小電圧との差によって制限を受けるおそれがあった。
【００２１】
これらを踏まえて、以下、本発明の一実施形態を図面と共に説明する。
タッチパネルが押されたことを検出する機構については、図４に示された従来の技術における検出する機構と同様である。
【００２２】
タッチパネルが押されたことを検出すると、次に押された箇所の座標の検出を行う。
図１は、本実施形態のタッチパネルにおける横方向の座標検出する機構を示した図である。図５に示された従来技術と異なる点は、第１の抵抗膜１０の両端部の電極（１２，１４）に印加する電圧の値を変更可能な可変電圧源１８とした点である。
そして、最初にタッチパネルが押されたことを検出した後、第１の抵抗膜１０の両端部の電極（１２，１４）の一方の電極１４に、可変電圧源１８によりＡ／Ｄ変換器３０で受けることのできる最大の電圧値Ｖ１を印加し、他方の電極１２にＡ／Ｄ変換器３０で受けることのできる最小の電圧値Ｖ２を印加する。
【００２３】
こうして、タッチパネルにおける打点位置Ｐの位置を、第２の抵抗膜の両端の電極のいずれかに誘起される電圧をＡ／Ｄ変換することによりいったん測定する。そのときの電圧値をＶｄ１ｘとする。
測定された電圧値Ｖｄ１ｘから、次に第１の抵抗膜１０の両端の電極（１２，１４）に印加する電圧を算出する。一方の電極１４にはＶ１１として、Ｖｄ１ｘ＋Ｖａ×（Ｖ１−Ｖｄ１ｘ）／（Ｖ１−Ｖ２）として算出される電圧を印加し、他方の電極にはＶ１２ｘとして、Ｖｄ１ｘ−Ｖａ×Ｖｄ１ｘ／（Ｖ１−Ｖ２）として検出される電圧を印加する。ここで、Ｖａはタッチパネルの抵抗膜の両端の電極に印加することができる最大電圧とする。
【００２４】
そして、その打点位置Ｐを押圧したときに、第２の抵抗膜２０の電極に誘起される電圧をＡ／Ｄ変換することにより測定する。そのときの電圧値をＶｄ２ｘとする。
次に、再度第１の抵抗膜１０の電極１４に電圧を印加し、第２の抵抗膜２０の電極（２２，２４）に電圧が誘起されることにより、タッチパネルが押されていることを検出する。タッチパネルが押されていない場合には検出を最初からやり直す。
【００２５】
タッチパネルが引き続き押されている場合には、次に押された箇所の縦方向の検出を行う。図２は、本実施形態のタッチパネルにおける縦方向の座標の検出する機構を示した図である。図６に示された従来技術と異なる点は、第２の抵抗膜２０の両端部の電極（２２，２４）に印加する電圧の値を変更可能な可変電圧源２８とした点である。
【００２６】
第２の抵抗膜２０の両端部の電極（２２，２４）の一方に、可変電圧源２８によりＡ／Ｄ変換器３０で受けることのできる最大の電圧値Ｖ１を印加し、他方の電極にＡ／Ｄ変換器３０で受けることのできる最小の電圧値Ｖ２を印加する。
【００２７】
こうして、タッチパネルにおける打点位置Ｐの位置を、第１の抵抗膜の両端の電極のいずれかに誘起される電圧をＡ／Ｄ変換することによりいったん測定する。そのときの電圧値をＶｄ１ｙとする。
測定された電圧値Ｖｄ１ｙから、次に第２の抵抗膜２０の両端の電極（２２，２４）に印加する電圧を算出する。一方の電極にはＶ１１ｙとして、Ｖｄ１＋Ｖａ×（Ｖ１−Ｖｄ１）／（Ｖ１−Ｖ２）として算出される電圧を印加し、他方の電極にはＶ１２ｙとして、Ｖｄ１−Ｖａ×Ｖｄ１／（Ｖ１−Ｖ２）として検出される電圧を印加する。ここで、Ｖａはタッチパネルの抵抗膜の両端の電極に印加することができる最大電圧とする。
【００２８】
そして、その打点位置Ｐを押圧したときに、第１の抵抗膜１０の電極に誘起される電圧をＡ／Ｄ変換することにより測定する。そのときの電圧値をＶｄ２ｙとする。
最後に、第１の抵抗膜１０の電極（１２，１４）に電圧を印加し、第２の抵抗膜２０に電圧が誘起されることにより、タッチパネルが押されていることを検出して、求められた打点位置ＰのＸ座標、Ｙ座標を有効な座標とする。押されていない場合には、求められた打点位置ＰのＸ座標、Ｙ座標を無効として、検出を最初からやり直す。タッチパネルが押されていることを検出した場合には、Ｖｄ２ｘ、Ｖｄ２ｙから求められた打点位置ＰのＸ座標、Ｙ座標を有効な座標とする。
【００２９】
図３は、本実施形態のタッチパネルにおける打点位置の検出の流れを示すフローチャートである。以下ステップ毎に説明する。
・（ステップＳＡ１）第１の抵抗膜の電極に電圧Ｖ１を印加する。ここで、電圧Ｖ１は、電圧検出回路であるＡ／Ｄ変換器で受けられる最大電圧とする。
・（ステップＳＡ２）第２の抵抗膜の電極において電圧が検出されたかどうかを判定する。検出された場合（ＹＥＳ）はステップＳＡ３に進み、検出されない場合（ＮＯ）はステップＳＡ１に戻る。
・（ステップＳＡ３）第１の抵抗膜の両端部の電極のうちの一方の電極に電圧Ｖ１を、他方の電極に電圧Ｖ２を印加する。ここで、電圧Ｖ２は、電圧検出回路であるＡ／Ｄ変換器で受けられる最小電圧とする。
【００３０】
・（ステップＳＡ４）第２の抵抗膜の両端部の電極のうちの一方の電極の電圧値を検出する。検出した電圧値をＶｄ１ｘとする。
・（ステップＳＡ５）第１の抵抗膜の電極の一方にＶ１１ｘ、他方にＶ１２ｘを印加する。ここで、Ｖ１１ｘ＝Ｖｄ１＋Ｖａ×（Ｖ１−Ｖｄ１）／（Ｖ１−Ｖ２）、Ｖ１２ｘ＝Ｖｄ１−Ｖａ×Ｖｄ１／（Ｖ１−Ｖ２）とする。
・（ステップＳＡ６）第１の抵抗膜の電極にＶ１１ｘ及びＶ１２ｘを印加した状態で、第２の抵抗膜のいずれかの電極に検出される電圧を検出電圧Ｖｄ２ｘとして検出する。
【００３１】
・（ステップＳＡ７）第１の抵抗膜の電極に電圧Ｖ１を印加する。
・（ステップＳＡ８）第２の抵抗膜の電極において電圧が検出されたかどうかを判定する。検出された場合（ＹＥＳ）はステップＳＡ９に進み、検出されない場合（ＮＯ）はステップＳＡ１に戻る。
・（ステップＳＡ９）第２の抵抗膜の両端部の電極のうちの一方の電極に電圧Ｖ１を、他方の電極に電圧Ｖ２を印加する。
【００３２】
・（ステップＳＡ１０）第１の抵抗膜の両端部の電極のうちの一方の電極の電圧値を検出する。検出した電圧値をＶｄ１ｙとする。
・（ステップＳＡ１１）第２の抵抗膜の電極の一方にＶ１１ｙ、他方にＶ１２ｙを印加する。ここで、Ｖ１１ｙ＝Ｖｄ１ｙ＋Ｖａ×（Ｖ１−Ｖｄ１ｙ）／（Ｖ１−Ｖ２）、Ｖ１２ｙ＝Ｖｄ１ｙ−Ｖａ×Ｖｄ１ｙ／（Ｖ１−Ｖ２）とする。
・（ステップＳＡ１２）第１の抵抗膜の電極にＶ１１ｙ及びＶ１２ｙを印加した状態で、第２の抵抗膜のいずれかの電極に検出される電圧を検出電圧Ｖｄ２ｙとして検出する。
【００３３】
・（ステップＳＡ１３）第１の抵抗膜の電極に電圧Ｖ１を印加する。
・（ステップＳＡ１４）第２の抵抗膜の電極において電圧が検出されたかどうかを判定する。検出された場合（ＹＥＳ）はステップＳＡ１５に進み、検出されない場合（ＮＯ）はステップＳＡ１に戻る。
・（ステップＳＡ１５）検出した電圧値Ｖｄ２ｘの値から打点位置ＰのＸ座標Ｘａを算出する。
・（ステップＳＡ１６）検出した電圧値Ｖｄ２ｙの値から打点位置ＰのＹ座標Ｙａを算出する。
【００３４】
このように構成した本実施形態において、一般的にＡ／Ｄ変換器３０が受けることのできる電圧の値は約５Ｖ程度であるのに対し、抵抗膜の両端で受けることのできる電圧の値は３０〜４０Ｖ程度であるため、従来Ａ／Ｄ変換器３０で受けることのできる電圧の値を考慮して、座標測定時に抵抗膜の両端に印加する電圧の値をＡ／Ｄ変換器３０が受けることのできる電圧の値に制限していたものを、抵抗膜の両端で受けることのできる電圧の値まで拡大することが可能となる。
【００３５】
また、その際に、いったん抵抗膜の両端にＡ／Ｄ変換器３０が受けることのできる電圧に基づいて電圧を印加して打点位置Ｐにおける抵抗膜の電極に誘起される電圧値を測定して、その次に座標の検出精度を上げて測定する際には、抵抗膜の両端に印加する電圧を、抵抗膜の両端に印加することができる電圧に拡大しつつ、その両端に印加する電圧の値を、打点位置Ｐに対して最初に求めた電圧の値と概ね一致するように算出して印加しているため、検出精度を上げて測定する際にも、抵抗膜の電極において誘起される電圧の値が、Ａ／Ｄ変換器３０が受けることのできない電圧値になってしまうおそれなしに、抵抗膜の両端の電極に印加する電圧の値を拡大して、検出の精度を上げることが可能となる。
【００３６】
なお、本実施形態においては、タッチパネルの表面に押圧していることを検出する際に印加する電圧値と、最初に打点位置Ｐの検出電圧を求める際に抵抗膜に印加する電圧値をいずれもＡ／Ｄ変換器３０で受けられる最大の電圧値Ｖ１を印加するようにしているが、必ずしもＶ１とする必要はなく、両者の電圧値を一致させるようにする必要もない。
【００３７】
また、本実施形態においては、打点位置ＰのＸ座標、Ｙ座標を求める際の、最初に測定するときの両端部の電極に印加する電圧値として、Ａ／Ｄ変換器３０で受けられる最大電圧Ｖ１と最小電圧Ｖ２としているが、これについてもＡ／Ｄ変換器３０で受けられる電圧の範囲内であれば適宜設定することが可能であり、Ｘ座標を求めるときと、Ｙ座標を求めるときの電圧値を異ならせるようにすることも可能である。
【００３８】
さらに、本実施形態においては、Ｘ座標、Ｙ座標をそれぞれ精度を上げて測定する際の算出において用いられるＶａの値として、タッチパネルの抵抗膜の両端の電極に印加することができる最大電圧の値を用いているが、これについても、タッチパネルの抵抗膜の両端に印加することができる電圧の範囲内において、適宜設定することが可能であり、Ｘ座標を求める際と、Ｙ座標を求める際で異なる電圧値を用いるようにすることも可能である。
【符号の説明】
【００３９】
１０  第１の抵抗膜
１２，１４  電極
１６  抵抗成分
１７  電圧源
１８  可変電圧源
２０  第２の抵抗膜
２２，２４  電極
２６  抵抗成分
２７  電圧源
２８  可変電圧源
３０  Ａ／Ｄ変換器
３２  ダイオード
３４  抵抗
４０  Ａ／Ｄ変換器
４２  ダイオード
【図１】
2015184984.tif 000003
【図２】
2015184984.tif 000004
【図３】
2015184984.tif 000005
【図４】
2015184984.tif 000006
【図５】
2015184984.tif 000007
【図６】
2015184984.tif 000008
【図７】
2015184984.tif 000009
【手続補正書】
【提出日】平成27年3月5日(2015.3.5)
【手続補正１】
【補正対象書類名】明細書
【補正対象項目名】００２３
【補正方法】変更
【補正の内容】
【００２３】
こうして、タッチパネルにおける打点位置Ｐの位置を、第２の抵抗膜の両端の電極のいずれかに誘起される電圧をＡ／Ｄ変換することによりいったん測定する。そのときの電圧値をＶｄ１ｘとする。
測定された電圧値Ｖｄ１ｘから、次に第１の抵抗膜１０の両端の電極（１２，１４）に印加する電圧を算出する。一方の電極１４にはＶ１１ｘとして、Ｖｄ１ｘ＋Ｖａ×（Ｖ１−Ｖｄ１ｘ）／（Ｖ１−Ｖ２）として算出される電圧を印加し、他方の電極にはＶ１２ｘとして、Ｖｄ１ｘ−Ｖａ×（Ｖｄ１ｘ−Ｖ２）／（Ｖ１−Ｖ２）として検出される電圧を印加する。ここで、Ｖａはタッチパネルの抵抗膜の両端の電極に印加することができる最大電圧とする。
【手続補正２】
【補正対象書類名】明細書
【補正対象項目名】００２７
【補正方法】変更
【補正の内容】
【００２７】
こうして、タッチパネルにおける打点位置Ｐの位置を、第１の抵抗膜の両端の電極のいずれかに誘起される電圧をＡ／Ｄ変換することによりいったん測定する。そのときの電圧値をＶｄ１ｙとする。
測定された電圧値Ｖｄ１ｙから、次に第２の抵抗膜１０の両端の電極（２２，２４）に印加する電圧を算出する。一方の電極にはＶ１１ｙとして、Ｖｄ１ｙ＋Ｖａ×（Ｖ１−Ｖｄ１）／（Ｖ１−Ｖ２）として算出される電圧を印加し、他方の電極にはＶ１２ｙとして、Ｖｄ１ｙ−Ｖａ×（Ｖｄ１ｙ−Ｖ２）／（Ｖ１−Ｖ２）として検出される電圧を印加する。ここで、Ｖａはタッチパネルの抵抗膜の両端の電極に印加することができる最大電圧とする。
【手続補正３】
【補正対象書類名】明細書
【補正対象項目名】００３０
【補正方法】変更
【補正の内容】
【００３０】
・（ステップＳＡ４）第２の抵抗膜の両端部の電極のうちの一方の電極の電圧値を検出する。検出した電圧値をＶｄ１ｘとする。
・（ステップＳＡ５）第１の抵抗膜の電極の一方にＶ１１ｘ、他方にＶ１２ｘを印加する。ここで、Ｖ１１ｘ＝Ｖｄ１ｘ＋Ｖａ×（Ｖ１−Ｖｄ１ｘ）／（Ｖ１−Ｖ２）、Ｖ１２ｘ＝Ｖｄ１ｘ−Ｖａ×（Ｖｄ１ｘ−Ｖ２）／（Ｖ１−Ｖ２）とする。
・（ステップＳＡ６）第１の抵抗膜の電極にＶ１１ｘ及びＶ１２ｘを印加した状態で、第２の抵抗膜のいずれかの電極に検出される電圧を検出電圧Ｖｄ２ｘとして検出する。
【手続補正４】
【補正対象書類名】明細書
【補正対象項目名】００３２
【補正方法】変更
【補正の内容】
【００３２】
・（ステップＳＡ１０）第１の抵抗膜の両端部の電極のうちの一方の電極の電圧値を検出する。検出した電圧値をＶｄ１ｙとする。
・（ステップＳＡ１１）第２の抵抗膜の電極の一方にＶ１１ｙ、他方にＶ１２ｙを印加する。ここで、Ｖ１１ｙ＝Ｖｄ１ｙ＋Ｖａ×（Ｖ１−Ｖｄ１ｙ）／（Ｖ１−Ｖ２）、Ｖ１２ｙ＝Ｖｄ１ｙ−Ｖａ×（Ｖｄ１ｙ−Ｖ２）／（Ｖ１−Ｖ２）とする。
・（ステップＳＡ１２）第１の抵抗膜の電極にＶ１１ｙ及びＶ１２ｙを印加した状態で、第２の抵抗膜のいずれかの電極に検出される電圧を検出電圧Ｖｄ２ｙとして検出する。